(57)【特許請求の範囲】
【請求項１】
シンクと、該シンクを収める開口部を有する天板と、該天板を支持するキャビネットを備えた流し台であって、
前記キャビネットは、前記シンクの前面を覆う収納兼サポート用幕板部を有し、
該収納兼サポート用幕板部は、前方に開口しており物品を収納する棚を有する収納筺部を備えた収納用部材と、使用者の身体をサポートするサポートバーが、押出成形によって一体として成形されており、
前記サポートバーは、前記収納用部材の収納筺部の上部から前方かつ上方に突出するように形成されており、該サポートバーの前面は、使用者の身体に沿うように凸状湾曲面として形成されていることを特徴とする流し台。
【請求項２】
請求項１記載の流し台であって、サポートバーの後面基部には凹状湾曲部が形成されており、天板の下方における収納兼サポート用幕板部の上面には前記凹状湾曲部にかけて前方に向けて下方に傾斜した上部傾斜面が形成されていることを特徴とする流し台。
【請求項３】
請求項１または２記載の流し台であって、前記サポートバーがカバーを備えていることを特徴とする流し台。
【発明の詳細な説明】
【技術分野】
【０００１】
本発明は、流し台に関し、特に、流し台を構成するシンク付きキャビネットのシンク前方に、前面が開口した収納用部材（収納用部分）とサポートバー（もたれバー）が一体的に構成された収納兼サポート用幕板部を設けた流し台に関する。そして、本発明の流し台は、キッチンで利用される流し台だけでなく、洗面室等に設置される所謂洗面台等として利用される流し台としても適用できる流し台も含むものである。
【背景技術】
【０００２】
従来、流し台を構成するシンク付きキャビネットの前面側に収納部を設けるという構成は、すでに知られている。例えば、流し台の幕板部に収納部を設けた構成は、公知である（例．特許文献１、２参照）。また、キッチンキャビネットの天板と収納部の間の空間部に、前面が開口する開放収納部を設けた構成は公知である（例．特許文献３参照）。さらに、シンク前方に張出部を有し、前方張出部の下方空間の膜板部を前面収納スペースとした構成は公知である（例．特許文献４参照）ある。
【０００３】
また、流し台の前面にもたれバーを取り付ける構成も知られている。例えば、本出願人は、流し台の幕板部に吊持部材を取り付け、この吊持部材部材の取り付け部にもたれバー等の機能部品を着脱自在に取り付けた発明をすでに提案している（特許文献５参照）。さらに、本出願人は、流し台の複数のキャビネットにわたって共通の幕板を取り付け、取り付け部材にもたれバー等の機能部品を着脱可能且つ移動可能に取り付けた発明を提案している（特許文献６参照）。
【０００４】
そして、流し台のカウンターの前縁に手すりバーを固定し、手すりにカバー片を設けカバー片上に凹スペースを設けた構成は公知である（特許文献７参照）。流し台の前面の身体と接触する部分を断熱処理、加温等した構成は公知である（特許文献８参照）。
【０００５】
【特許文献１】実開昭６０−１０５４４１号公報
【特許文献２】実開平２−６４３３８号公報
【特許文献３】実公平６−１０８５９号公報
【特許文献４】特開２００４−２２９６９９号公報
【特許文献５】特開２００３−０１９０４３号公報
【特許文献６】特開２００３−０３８２７０号公報
【特許文献７】特開平８−２０５９４１公報
【特許文献８】特開２００２−２０９６５１号公報
【発明の開示】
【発明が解決しようとする課題】
【０００６】
特許文献１、２、４は、シンク前方に開閉扉を設け幕板との間を収納部としているために十分な収納スペースがとれず、しかも、いちいち扉を開閉する必要があり簡単に収納することはできない。特許文献３は、シンクの前方の空間は避けてその両側の空間に開放収納部を設ける構成であるので、シンクの前方の空間は利用していないので、無駄となっている。
【０００７】
特許文献５〜８は、もたれバー、手すりバーであるが、このような手すりバー等を幕板部の前に取り付けるだけであり、幕板部に収納部を設けるという発想は開示されていない。
【０００８】
本発明は、シンク前方に従来の幕板に代えて、物品を手軽に収納できる収納部を設けるとともに、流し台の使用者の身体を支持するサポートバーを取り付け、幕板部で収納もできしかももたれかかることもできるという、きわめて便利な流し台を実現することを主な課題とする。さらに、本発明は、この収納部を構成する収納用部材を、流し台のキャビネットに、簡単、且つ正確に位置決めして取り付けることのできる流し台を実現するものである。
【課題を解決するための手段】
【０００９】
本発明は上記課題を解決するために、シンクと、該シンクを収める開口部を有する天板と、該天板を支持するキャビネットを備えた流し台であって、前記キャビネットは、前記シンクの前面を覆う収納兼サポート用幕板部を有し、該収納兼サポート用幕板部は、前方に開口しており物品を収納する棚を有する収納筺部を備えた収納用部材と、使用者の身体をサポートするサポートバーが、押出成形によって一体として成形されており、前記サポートバーは、前記収納用部材の収納筺部の上部から前方かつ上方に突出するように形成されており、該サポートバーの前面は、使用者の身体に沿うように凸状湾曲面として形成されていることを特徴とする流し台を提供する。
【００１０】
サポートバーの後面基部には凹状湾曲部が形成されており、天板の下方における収納兼サポート用幕板部の上面には前記凹状湾曲部にかけて前方に向けて下方に傾斜した上部傾斜面が形成されていることが好ましい。
【００１１】
前記サポートバーは、カバーを備えていることが好ましい。
【発明の効果】
【００１２】
上記構成から成る本発明に係る流し台によれば、次のような効果が生じる。
（１）シンク前方に、扉など開くことなく、物品を手軽に収納できる構造の収納用部材を設け、この収納用部材には使用者の身体を支持するサポートバーが一体的に設けられているので、シンク前方の空間を収納空間として有効利用を可能とするとともに、使用者の身体のサポートを可能とし、全く異質の二つの機能を、簡単な構造の収納用部材によって発揮させることができる。
【００１３】
（２）収納用部材を、固定片を介して簡単、且つ正確にキャビネットに位置決めでき、組立の作業性を向上することができる。
【発明を実施するための最良の形態】
【００１４】
本発明に係る流し台を実施するための最良の形態を実施例に基づき図面を参照して、以下説明する。
【実施例１】
【００１５】
（全体構成）
図１（ａ）は従来例に係る流し台１を説明する図であり、図１（ｂ）、（ｃ）図２〜５は、本発明に係る流し台２の実施例１を説明する図である。図１〜３において、流し台１、２の本体を構成するキャビネット３の収納スペース４の上方には、天板５が設けられている。この天板５には開口部６が形成され、この開口部６にシンク７が取り付けられている。シンク７の前方には、キャビネット３の扉８が設けられている。
【００１６】
流し台のキャビネット３の扉８を開くと、シンク７が前方から見えてしまうので、従来は、図１（ａ）に示すように、シンク７の前方に幕板９を設け、その前面に化粧板１０を設けている。或いは、幕板９の前面に、図示はしないが、扉８を閉じた際に扉の上部が幕板９に当接する構成（扉８が幕板９の前面まで形成されている構成）ともされている。
【００１７】
しかし、幕板９とシンク７の間にはスペース４’があるが、幕板９を設けると、このスペース４’が利用できない。そこで、本発明では、このスペース４’の有効利用を図るために、天板５の前部下方であってシンク７の前方に、幕板９に代えて、図１（ｂ）、（ｃ）図２（ａ）、図３に示すように、物品の収納が可能であり、しかも流し台２の使用者の身体を支持することが可能な収納兼サポート用幕板部１１を設けた構成を特徴とするものである。
【００１８】
図２（ａ）は、本発明の流し台２における収納兼サポート用幕板部１１の断面構造を示す図であるが、この図に示すように、収納兼サポート用幕板部１１は、天板５の下であってシンク７の前方のスペース４’に取り付けられている。この収納兼サポート用幕板部１１は、収納兼サポート用部材１２と、収納兼サポート用部材１２をキャビネット３の側板に取り付ける固定片１３と、サイドカバー１４と、サポートバーカバー１５とを備えている。
【００１９】
図３は、本発明の流し台２の収納兼サポート用幕板部１１の取り付けられている部分の斜視図を示している。流し台２の前方側から見て、扉８の上方に収納兼サポート用幕板部１１が設けられ、この収納兼サポート用幕板部１１の収納筺部１６の棚２２に、物品１７を載置し収納することができ、流し台２の使用者は、サポートバー１９にその身体をもたれさせて支持させることができる。
【００２０】
（収納兼サポート用幕板部の部品）
図４、５は、収納兼サポート用幕板部１１を構成する各部品を説明する図である。図４（ａ）は収納兼サポート用部材１２の断面図であり、図４（ｂ）はその斜視図を示す。収納兼サポート用部材１２は、収納用部材１８とサポートバー１９とが一体的になって構成されている。
【００２１】
収納用部材１８は、図４（ａ）において、収納兼サポート用部材１２のサポートバー１９を除く部分であり、断面コの字型の収納筺部１６、収納筺部１６の上方の天板当接部２０、及び収納筺部１６の下方の幕部２１とから構成されている部分である。サポートバー１９は、収納筺部１６の上方且つ前方に位置するように構成されている。
【００２２】
上記のとおり、収納兼サポート用部材１２は、収納用部材１８とサポートバー１９とから一体的に構成されているが、この実施例１では、収納用部材１８とサポートバー１９が、アルミ等の金属材または樹脂材等の材料から押出成形して一体（一つの部材）として成形されている。
【００２３】
なお、後述する実施例２では、収納兼サポート用部材１２は、収納用部材１８とサポートバー１９とが一体的に構成されているが、サポートバー１９が収納用部材１８に対して着脱可能となるように構成されている。
【００２４】
収納筺部１６には、流し台２の使用者が物品１７を載置するための棚２２が形成されており、この棚２２の前側には、落下止め用の段部２３が形成されている。この段部２３は、前側が高く形成されており、棚２２に載置した物品１７（図２（ａ），図３参照）が前側に転がって簡単に落下するようなことを防止するものである。
【００２５】
天板当接部２０は、ユ字の前後逆向きの断面形状に形成され、天板５の前端下面の角部２４（図２（ａ）、（ｂ）、図６（ａ）参照）に当接し、天板５を支持する。また、天板当接部２０は天板５と収納兼サポート用幕板部１１との隙間を隠す機能も有している。
【００２６】
幕部２１の後面にはネジ孔２５が形成されており、固定片１３が収納兼サポート用部材１２にネジ止めされる構造となっている。なお、幕部２１の下端部は、図２（ｂ）に拡大して示すように、前面には下後方に向けて傾斜した前面傾斜面２６が形成され、後面には下前方に向けて傾斜された後面傾斜面２７が形成されている。
【００２７】
これらの傾斜面２６、２７が形成されていると、図２（ｂ）に示すように、水滴Ｗが収納兼サポート用部材１２の前面及び後面に沿って流れ出てきても、水滴Ｗを扉８に付着することなく、その前方に排出可能となる。
【００２８】
サポートバー１９は、全体的には、図４（ａ）に示すように、収納筺部１６の上部から、前方且つ上方に突出するように形成されている。サポートバー１９の前面２８は使用者の身体に沿うように凸状湾曲面として形成されており、サポートバー１９の後面基部には凹状湾曲部２９が形成されている。そして、収納筺部１６の上面からこの凹状湾曲部２９にかけて下方に傾斜した上部傾斜面３０が形成されている。
【００２９】
この上部傾斜面３０は、図２（ｂ）に示すように収納兼サポート用幕板部１１の上面に付着した水滴Ｗが前方に流下し、サポートバー１９の後面基部に形成された凹状湾曲部２９内に溜まるように構成されている。これにより、収納兼サポート用部材１２の上部の水滴等の付着を少なくし、凹状湾曲部２９内に溜まった水は拭き取って除去できるので、清潔にすることができる。
【００３０】
図４（ｃ）は、固定片１３の平面図（上図）及び側面図（下図）をそれぞれ示している。固定片１３の本体の左右の側縁には、折返し部３１が形成されている。この折返し部３１は、収納兼サポート用部材１２の後面に当接してネジ止めされ、固定片１３が収納兼サポート用部材１２に固定される。固定片１３の本体には、ネジ止め用の孔３２が形成されており、キャビネット３の側板３３の内面にネジ止めすることが可能である。
【００３１】
固定片１３の本体の上部には、上方に開口した位置決め用孔３４が形成されている。この位置決め用孔３４は、上方に拡開した開口３５、長孔３６及び下端の丸孔３７が互いに連通して形成されている。長孔３６の幅より、開口３５の拡開端の幅及び丸孔３７の直径の方が大きな寸法に形成されている。
【００３２】
この位置決め用孔３４に挿通される位置決め用突起３８が、キャビネット３の側板３３の前部内面に突設されている。この位置決め用突起３８を上方から見た図を図４（ｄ）に示し、その斜視図を図４（ｅ）に示す。位置決め用突起３８は、側板３３に向けて直径が小さくなるようにテーパ状に形成されている。
【００３３】
図５（ａ）〜（ｃ）は、サイドカバー１４を説明する図であり、図５（ａ）はサイドカバー１４の平面図を示し、図５（ｂ）はその側面図を示している。サイドカバー１４は、樹脂材（例．ＡＢＳ樹脂材）等で形成されており、本体部３９と、本体部３９の内面から突出するように形成された嵌合部４０とから構成されている。図５（ｃ）はサイドカバー１４の本体部３９の断面図を示している。サイドカバー１４は、収納兼サポート用幕板部１１のサイドを保護するとともに、使用者が手指を引っ掛ける等で怪我をするおそれも軽減している。
【００３４】
本体部３９の全体的な平面形状は、図５（ｃ）に示すように、収納兼サポート用部材１２の側面の形状（図４（ａ）等参照。但し、天板当接部２０の部分は不要である。）に対応して形成され、これにより、収納兼サポート用部材１２の側面を完全に覆うことができるように構成されている。そして、本体部３９は、図５（ｂ）、（ｃ）に示すように、補強用のリブ４１（図５（ｃ）のハッチング部）で区画された空洞部４２を有し、一定の厚みで板状に形成されている。
【００３５】
嵌合部４０は、図５（ｂ）に示すように、本体部３９から突出しており、その平面形状は、図５（ａ）のハッチング部分で示す。この図５（ａ）に示すように、嵌合部４０は、収納兼サポート用部材１２の上部空洞部４３、サポートバー空洞部４４及び下部空洞部４５（図４（ａ）参照）に、それぞれ嵌合する上部凸部４６、サポート凸部４７及び下部凸部４８を備えている。このような構造のサイドカバー１４を、収納兼サポート用部材１２の側面から嵌合して取り付け、左右の側面をカバーすることができる。
【００３６】
図５（ｄ）は、サポートバーカバー１５を示す斜視図である。サポートバーカバー１５は、樹脂材（例．ＡＢＳ樹脂）等で形成され、その断面形状は、サポートバー１９の外形と同じであり、外側から嵌着できるような構成である。サポートバーカバー１５の底部内面に係止突起４９が形成されている。サポートバーカバー１５をサポートバー１９に嵌着する際に、係止突起４９を、サポートバー１９の底部に形成された係止孔５０（図２（ａ）、（ｂ）、図４（ａ）参照）に挿入して係合し、サポートバーカバー１５がサポートバー１９からはずれないように構成されている。
【００３７】
サポートバーカバー１５はサポートバー１９を保護するものであり、表面に傷等が生じた場合、サポートバー１９自体を交換する必要はなく、サポートバーカバー１５のみを交換すればよく、メンテナンス性に優れる。また、サポートバー１９を金属材で形成した場合、触れた際の冷たさを軽減できる効果もある。
【００３８】
（収納兼サポート用幕板部の組立）
図６（ａ）〜（ｄ）は、収納兼サポート用部材１２に固定片１３をネジ止めし、これをを流し台２のキャビネット３に組み付ける工程を説明する図である。まず、図６（ａ）の左側に示すように、収納兼サポート用部材１２の幕部２１の後面に固定片１３の折返し部３１を当接してネジ止めして固定する。そして、サイドカバー１４を収納兼サポート用部材１２の左右側面に嵌着する。
【００３９】
固定片１３を取り付けた収納兼サポート用部材１２を、図６（ａ）の白抜き矢印で示すように、キャビネット３内の側板３３の内側であって、位置決め用突起３８より下方に位置させてから上方に向けて移動する。そして、図６（ａ）の右側に示し、また図６（ｃ）に固定片１３の位置決め用孔３４と位置決め用突起３８の関係を示すように、固定片１３を、その位置決め用孔３４の開口３５の拡開端に位置決め用突起３８が挿入できるような位置に移動する。
【００４０】
この状態で、固定片１３をさらに持ち上げて位置決め用突起３８を位置決め用孔３４に挿入していく。すると、開口面が位置決め用突起３８のテーパ面に沿って案内され、位置決め用突起３８が長孔３６に入り込むと、図６（ｂ）に示すように収納兼サポート用部材１２の前後方向の位置が位置決めされ、しかも、図６（ｄ）に示すように、固定片１３は側板３３に当接される。
【００４１】
ここでさらに、固定片１３及び収納兼サポート用部材１２を上方に持ち上げて移動していくと、天板当接部２０は、天板５の角部２４に位置決めされて当接される。この後、 ネジ止め用の孔３２にネジを挿入して固定片１３を側板３３にネジ止めする。これによって、図２（ａ）、（ｂ）に示すように、簡単に、収納兼サポート用部材１２を、天板５の下方且つ前端の位置に正確に位置決めして固定することができる。
【００４２】
収納兼サポート用部材１２をキャビネットの側板３３に取り付けた後で、サポートバーカバー１５をサポートバー１９に取り付ける。サポートバーカバー１５は、事前に、即ち、サイドカバー１４を収納兼サポート用部材１２の左右側面に嵌着した後で装着してもよい。
【００４３】
（作用）
以上のようにして、収納兼サポート用幕板部１１の部品を組立て、この収納兼サポート用幕板部１１を流し台２のキャビネット３の側板３３に取付けることで、図２（ａ）及び図３に示すように、扉８の上方に収納兼サポート用幕板部１１を設けた流し台２を得ることができる。
【００４４】
本発明では、収納兼サポート用部材１２を、位置決め用孔３４を設けた固定片１３及びキャビネット３の側板３３に固定した位置決め用突起３８を利用してキャビネット３に取り付けられる構成としたので、収納兼サポート用部材１２を、簡単、且つ正確にキャビネット３に位置決めでき、組立の作業性を向上することができる。
【００４５】
流し台２の使用者は、図２（ａ）、図３に示すように、物品１７を収納筺部１６の棚２２に載置して収納できる。そして、棚２２は、その前側に落下止め用段部２３が形成されているために物品１７は棚２２から前方に転がっても、簡単に落下するようなことが防止できる。
【００４６】
そして、流し台２の使用者は、流し台を使用する際に、その身体をサポートバー１９にもたれかけさせて支持させることができるから、楽に作業することが可能となる。
【００４７】
本発明の流し台２では、図２（ｂ）に示すように、収納兼サポート用部材１２の上部には、前方に向けて下方に傾斜した上部傾斜面３０が形成されているから、収納兼サポート用幕板部１１の上面に付着した水滴Ｗは、この上部傾斜面３０からサポートバー１９の後面側の凹状湾曲部２９に排水され、水滴Ｗが、収納兼サポート用部材１２の上部の表面に溜まったりしない。
【００４８】
本発明の流し台２では、さらに、収納兼サポート用部材１２を位置決めして側板３３に取り付けられた状態では、図２（ｂ）に示すように、幕部２１の前面傾斜面２６及び後面傾斜面２７の下端が扉８の前面より前方に配設される。
【００４９】
このような取り付け構造によって、シンク７からの撥ね出た水滴Ｗや、キャビネット３内の湿気等により生じる水滴Ｗが、図２（ｂ）に示すように、幕部２１の前面傾斜面２６及び後面傾斜面２７に沿って流れ出てきても、水滴Ｗを扉８に付着することなくその前方に排出可能となる。
【実施例２】
【００５０】
図７、８は、本発明に係る流し台の実施例２を説明する図である。この実施例２の流し台５１は、実施例１の流し台２とほぼ同じ構成である。しかし、実施例１の収納兼サポート用部材１２は、収納用部材１８とサポートバー１９が一体（一部材）として形成されているが、実施例２の収納兼サポート用部材５２は、図７（ａ）に示すように、収納用部材５３（収納用の部分）とサポートバー５４が別部材として形成されており、必要に応じて簡単に一体的に結合できる構成である。
【００５１】
即ち、収納兼サポート用部材５２は、実施例１の収納兼サポート用部材１２とほぼ同じ構成であるが、図７（ａ）に示すように、収納用部材５３とサポートバー５４が予め一体として形成されたものではなく、着脱可能にサポートバー５４を収納用部材５３に装着して一体的にすることができるようにした構成である。
【００５２】
図７（ｂ）に示すように、収納用部材５３の上部は、上壁５５、下壁５６及び仕切壁５７により、前後に空洞部５８、５９を形成しており、前方の空洞部５８は前方に開口している。この前方の空洞部５８を構成する上壁５５の下面の後端部に、収納用部材１８の長手方向（流し台の横方向）に延びる係止溝６０が形成されている。この係止溝６０は、仕切壁５７の前面６１と連続的に面を形成している。
【００５３】
一方、サポートバー５４は、実施例１のサポートバー１９の部分とほぼ同じ構成であるが、その後部には、図７（ａ）、（ｃ）に示すように、係合部６２が形成されている。この係合部６２には、その後端（先端）にフック６３が形成されている。そして、図７（ａ）の白抜き矢印に示すように、このフック６３の部分から、係合部６２を、収納用部材５３の前方の開口を通して空洞部５８内に挿入することで、図７（ｃ）、（ｄ）に示すように、サポートバー５４を収納用部材１８に着脱自在に装着可能となる。
【００５４】
この係合部６２を、空洞部５８にフック６３が仕切壁５７の前面６１に当接するまで挿入して手を放すと、サポートバー５４の自重により、フック６３が係止溝６０に自動的に係合し、サポートバー５４は収納用部材５３に装着され、しかも脱落が防止される。
【００５５】
この場合、サポートバー５４は、その自重によって、図７（ｃ）に示すように、下壁５６の前端上縁６４を支点として反時計回りの方向にモメントＭが作用しているので、フック６３は係止溝６０と係合する方向に力を受けるために、係合がはずれることはない。また、使用者がサポートバー５４にもたれかかって、サポートバー５４に後方への力が作用しても、フック６３が仕切壁５７に当接しているのでフック６３と係止溝６０の係合が緩むようなことはない。
【００５６】
なお、サポートバー５４を取り外す場合は、サポートバー５４を上方に少し持ち上げて下壁５６の前端上縁６４を支点として時計方向まわりに少し回すと、フック６３と係止溝６０の係合を外すことができ、その状態で手前に引き出せばよい。
【００５７】
（作用）
以上の構成の実施例２によると、次のように流し台５１を、サポートバー５４を取り外した状態における使用と、サポートバー５４を装着した状態における使用という、２つの使用態様が可能である。いずれの使用態様であっても、収納用部材５３は、固定片１３でキャビネット３の側板３３に取り付けられた構成においては共通である。
【００５８】
この実施例２では、収納用部材５３を、位置決め用孔３４を設けた固定片１３及びキャビネット３の側板３３に固定した位置決め用突起３８を利用してキャビネット３に、簡単、且つ正確に位置決めでき、組立の作業性を向上することができる。
【００５９】
図８（ａ）は、サポートバー５４を収納用部材５３に装着した状態における全体構成を示し、図８（ｂ）はその際の収納兼サポート用部材５２の構成を示している。この状態では、使用者は収納用部材５３の収納筺部１６に物品を収納して使用することができるとともに、サポートバー５４に身体をもたれかけさせて、楽な状態で、作業をすることができる。
【００６０】
図８（ｃ）は、サポートバー５４を取り外した状態における全体構成を示し、図８（ｄ）はその際の収納兼サポート用部材５２の構成を示している。この状態では、使用者は収納用部材５３の収納筺部１６に物品を収納して使用することができる。
【００６１】
以上、本発明に係る流し台を実施するための最良の形態を実施例に基づいて説明したが、本発明はこのような実施例に限定されるものではなく、特許請求の範囲に記載された技術的事項の範囲内でいろいろな実施例があることは言うまでもない。そして、本発明に係る流し台は、洗面室等に設置される所謂洗面台も含まれるものである。
【産業上の利用可能性】
【００６２】
以上、本発明に係る流し台を説明したが、この流し台２に採用した構造の収納兼サポート用幕板部は、キッチンの流し台に限らず、シンクを備えたキャビネットであり、長時間洗浄作業をするようなろいろな用途の洗浄用流し台にも適用できる。
【図面の簡単な説明】
【００６３】
【図１】（ａ）は従来例に係る流し台を説明する図であり、（ｂ）及び（ｃ）は本発明に係る流し台の実施例１を説明する側面図及び断面図である。
【図２】本発明に係る流し台の実施例１の要部を説明する断面図である。
【図３】本発明に係る流し台の実施例１の斜視図である。
【図４】本発明に係る流し台の実施例１の収納兼サポート用幕板部の部品を説明する図である。
【図５】本発明に係る流し台の実施例１の収納兼サポート用幕板部の部品を説明する図である。
【図６】本発明に係る流し台の収納兼サポート用幕板部を組立工程を説明する図である。
【図７】本発明に係る流し台の実施例２の収納兼サポート用幕板部の部品を説明する図である。
【図８】本発明に係る流し台の実施例２の要部を説明する断面図である。
【符号の説明】
【００６４】
１  流し台（従来例）                       
２  流し台                                 
３  キャビネット                           
４  キャビネットの収納スペース
４’シンク前方のスペース                 
５  天板                                   
６  天板のシンク装着用の開口部             
７  シンク                                 
８  扉                                     
９  幕板                                   
１０  化粧板（従来例）                     
１１  収納兼サポート用幕板部                         
１２  収納兼サポート用部材                           
１３  固定片                               
１４  サイドカバー
１５  サポートバーカバー
１６  収納筺部                             
１７  物品                                 
１８  収納用部材（収納用部分）
１９  サポートバー
２０  天板当接部                           
２１  幕部
２２  棚                                 
２３  落下止め用の段部
２４  角部                                 
２５  幕部のネジ孔                               
２６  収納兼サポート用部材下部の前面傾斜面     
２７  収納兼サポート用部材下部の後面傾斜面     
２８  サポートバーの前面
２９  サポートバーの凹状湾曲部
３０  上部傾斜面
３１  折返し部                             
３２  ネジ止め用の孔                       
３３  側板                                       
３４  位置決め用孔                               
３５  位置決め用孔の上端に拡開した開口           
３６  位置決め用孔の長孔                         
３７  位置決め用孔の下端の丸孔                   
３８  側板に突設された位置決め用突起             
３９  本体部                         
４０  嵌合部                         
４１  補強用のリブ                   
４２  空洞部                         
４３  収納兼サポート用部材の上部空洞部
４４  サポートバーの空洞部           
４５  下部空洞部                     
４６  上部凸部                       
４７  サポート凸部                   
４８  下部凸部                           
４９  係止突起                       
５０  係止孔                         
５１  実施例２の流し台               
５２  収納兼サポート用部材           
５３  収納用部材（収納用の部分）     
５４  サポートバー                   
５３  収納用部材                     
５５  収納用部材の上部の上壁         
５６  収納用部材の上部の下壁         
５７  収納用部材の上部の下壁仕切壁   
５８  前方の空洞部                   
５９  後方の空洞部                   
６０  係止溝                         
６１  仕切壁の前面                   
６２  係合部                         
６３  フック                         
６４  下壁の前端上縁                   
【図１】
0004770287.tif 000002
【図２】
0004770287.tif 000003
【図３】
0004770287.tif 000004
【図４】
0004770287.tif 000005
【図５】
0004770287.tif 000006
【図６】
0004770287.tif 000007
【図７】
0004770287.tif 000008
【図８】
0004770287.tif 000009